(57)【要約】  本発明は、内槽に関する。内槽には、内槽の構成線に沿って延伸する複数のリフティングリブが設けられている。リフティングリブの内部は中空となっている。また、リフティングリブの撹水面には、リフティングリブの中空部と内槽の内部とを連通させる複数の通水孔が設けられている。且つ、リフティングリブの後端は内槽底寄りに設置されるとともに、吐水構造が設けられている。更に、クリーニング不要洗濯機について説明する。洗濯機には、上記いずれかで述べた内槽が装着されている。内槽は、開口が扉で閉合されることで密閉される容器である。内槽の高速回転時に、洗浄水は内槽底方向に流動するよう案内されて、内槽底に設けられた導水流路に沿って内槽底の中心に向かって流動してから、中央コネクタの吐水接続口を通じて内槽から排出される。内槽の側壁に複数のリフティングリブを設置することで、内槽の高速回転時には、壁に密着して流動する洗浄水がリフティングリブの妨害作用を受けてリフティングリブの内部に流れ込む。そして、遠心力の作用によって、洗浄水はリフティングリブの内部空間に沿って内槽底方向へと流動する。これにより、洗浄水の乱流によって排水速度が低下するとの事態が回避される。【選択図】図１
2021528111.tif 000002
【特許請求の範囲】
【請求項１】
内槽であって、内槽の構成線に沿って延伸する複数のリフティングリブが設けられた内槽において、  リフティングリブの内部は中空となっており、リフティングリブの撹水面には、リフティングリブの中空部と内槽の内部とを連通させる複数の通水孔が設けられており、且つ、リフティングリブの後端は内槽底寄りに設置されるとともに、吐水構造が設けられていることを特徴とする内槽。
【請求項２】
内槽底には、外周から中心に向かって延伸する複数の導水流路が設けられており、導水流路の外周端はそれぞれリフティングリブに対応して設けられており、前記リフティングリブ及び対応
する導水流路は、内槽の径方向における同一断面に設けられていることを特徴とする請求項１に記載の内槽。
【請求項３】
リフティングリブの後端に設けられる吐水構造は、リフティングリブの後端に設けられる通水孔、及び／又は、リフティングリブの後端と洗濯機の内槽壁との接続箇所に設けられる切欠きであり、前記通水孔及び／又は切欠きは、リフティングリブの内部と内槽とを連通させ、  好ましくは、導水流路の一端は、内槽の側壁と一定の隙間を隔てて内槽底の外周に設けられており、これに対応するリフティングリブの後端と洗濯機の内槽壁との接続箇所に切欠きが設けられており、前記切欠きは、隙間に近接して内槽の同一構成線に沿って設けられ、  より好ましくは、リフティングリブの後端と内槽底は一定の隙間を隔てており、内槽内の洗浄水が隙間から導水流路に流れ込むことを特徴とする請求項１又は２に記載の内槽。
【請求項４】
リフティングリブの中空部には、内槽の構成線に沿って延伸する邪魔板が設けられており、邪魔板は、リフティングリブの中空部を互いに独立した２つの部分に分割し、２つの部分は、それぞれ対応する側の撹水面に設けられた通水孔を通じて内槽と連通することを特徴とする請求項１〜３のいずれか１項に記載の内槽。
【請求項５】
邪魔板はリフティングリブの中心線に沿って延伸しており、邪魔板の両側における互いに独立した空間は、２つの独立した空間内の洗浄水を、いずれもリフティングリブの後端における吐水構造から対応する導水流路へと排出可能となるよう、それぞれリフティングリブの後部に設けられた吐水構造と連通していることを特徴とする請求項４に記載の内槽。
【請求項６】
リフティングリブの内部の洗浄水を、邪魔板に沿ってリフティングリブの後端の中心に向かって集束的に流動させるよう案内し、洗浄水を対応する導水流路内へと直接流動させるよう、前記邪魔板の左右両側面は、いずれも内槽底から内槽の槽口方向に向かって、リフティングリブの軸線から離間する方向に徐々に傾斜する斜面をなしていることを特徴とする請求項４に記載の内槽。
【請求項７】
前記内槽は、開口から内槽底の方向に向かって徐々に直径が拡大するテーパー状の槽となっていることを特徴とする請求項１〜７のいずれか１項に記載の内槽。
【請求項８】
内槽底には、外周から中心まで延伸する複数の導水流路が配置されており、内槽底の中心には、各導水流路の端部とそれぞれ連通する中央コネクタが設けられており、中央コネクタの後端には、内槽底を貫通する吐水接続口が設けられており、内槽内の洗浄水は、遠心力の作用を受けると、導水流路を経由して中央コネクタまで流動したあと、吐水接続口を通じて内槽から流出することを特徴とする請求項７に記載の内槽。
【請求項９】
内槽底の内側には、槽内に突出し、且つ内槽底の中心に対して対称に配置される複数の攪水リブが設けられており、攪水リブは、内槽底の外周から中心方向に向かって内槽底の径方向に延伸しており、攪水リブの内部は中空となっており、中空部によって導水流路が構成されており、各導水流路の一端は、いずれも内槽底の外周に位置しており、且つ内槽とそれぞれ連通していることを特徴とする請求項８に記載の内槽。
【請求項１０】
内槽であって、  内槽底には、外周から中心まで延伸する複数の導水流路が配置されており、内槽底の中心には、各導水流路の端部とそれぞれ連通する中央コネクタが設けられており、中央コネクタの後端には、内槽底を貫通する吐水接続口が設けられており、内槽内の洗浄水は、遠心力の作用を受けると、導水流路を経由して中央コネクタまで流動したあと、吐水接続口を通じて内槽から流出することを特徴とする内槽。
【請求項１１】
各導水流路には、対向するリフティングリブが１つずつ設けられており、前記導水流路及び対応するリフティングリブは、内槽の径方向の同一断面に沿って延伸しており、  好ましくは、リフティングリブの後端の吐水構造は、対応する導水流路の端部に近接して設置されることを特徴とする請求項１０に記載の内槽。
【請求項１２】
導水流路の一端は、内槽の側壁と一定の隙間を隔てて内槽底の外周に設けられており、これに対応するリフティングリブの後端と洗濯機の内槽壁との接続箇所に切欠きが設けられており、前記切欠きは、隙間に近接して内槽の同一構成線に沿って設けられ、  より好ましくは、リフティングリブの後端と内槽底は一定の隙間を隔てており、内槽内の洗浄水が隙間から導水流路に流れ込むことを特徴とする請求項１１に記載の内槽。
【請求項１３】
前記中央コネクタは内槽底の中心に固定装着されており、前記中央コネクタは、円環状又は半円球状の本体を含んでおり、中央コネクタの本体の内部は中空となって通水室を構成しており、中央コネクタ本体の外周には、導水流路内の洗浄水を通水室内に案内するために、各導水流路に然るべく接続される給水口が設けられていることを特徴とする請求項１１又は１２に記載の内槽。
【請求項１４】
内槽は脱水槽を有さない密閉された内槽であり、内槽には吐水構造が設けられており、  中央コネクタの後端には、同軸に設置され、且つ後方へ延伸する吐水接続口が設けられており、吐水接続口は内槽底を貫通して通水室と内槽の外部とを連通させており、  好ましくは、吐水接続口の挿通端は、導水スリーブの端部に然るべく挿接され、導水スリーブの他端は、内槽から流出した洗浄水を洗濯機の外部に排出するために、洗濯機の吐水管と連通しており、  より好ましくは、中央コネクタと洗濯機の内槽底は一体的に設置されており、中央コネクタの外周と内槽底の間は平滑な曲面によって接続されていることを特徴とする請求項１３に記載の内槽。
【請求項１５】
内槽であって、  洗濯機の内槽支持部材の後側に、密封された流水室が固定装着されており、流水室には内槽支持部材に固定される吐水コネクタが設けられており、内槽と共に回転する導水スリーブの端部が流水室内まで伸入しており、内槽から流出した洗浄水が導水スリーブに沿って排出されることを特徴とする内槽。
【請求項１６】
洗濯機の内槽支持部材の後側には固定フレームが固定装着されており、固定フレームには吐水コネクタが固定装着されており、固定フレームには、吐水コネクタと連通する密封された流水室が設けられており、内槽と共に回転する導水スリーブの端部が流水室内まで伸入しており、且つ、挿入接続箇所に動的シール処理が施されており、内槽から導水スリーブに沿って流出した洗浄水は、流水室に案内されたあと吐水コネクタを経由して流出することを特徴とする請求項１５に記載の内槽。
【請求項１７】
固定フレームの中心には、内槽と同軸に設置される貫通孔が設けられており、貫通孔には、内槽と同軸に設置される筒状の装着カバーが装着されており、装着カバーの中空部によって密閉された流水室が取り囲まれるよう、装着カバーは、前側が導水スリーブの端部に然るべく密封状に挿接され、後側が吐水コネクタに密封接続されることを特徴とする請求項１６に記載の内槽。
【請求項１８】
装着カバー内には、前方から後方に向かって、導水スリーブを位置決め及び支持するための軸受スリーブと、導水スリーブを密封処理するための動的シールスリーブが順に装着されており、軸受スリーブと動的シールスリーブは、導水スリーブの外周に然るべく覆設され、動的シールスリーブの外周と装着カバーの内壁とが密封状に密接することを特徴とする請求項１７に記載の内槽。
【請求項１９】
前記吐水コネクタは、装着カバーの後側を覆うフランジを含んでおり、フランジが装着カバーの後側に密封接続され、フランジの中心には、内槽と同軸に設置される吐水口が設けられており、吐水口と流水室が然るべく連通しており、  好ましくは、吐水口は、フランジから後方へ突出するよう延伸する筒状の開口であり、  より好ましくは、フランジの前側には、装着カバーの内部に向かって突出する位置規制リブが周設されており、位置規制リブの端部はシールスリーブに当接しており、位置規制リブの外径は、装着カバーの内径と等しい大きさに設けられており、位置規制リブと装着カバーの内壁とが然るべく密接することを特徴とする請求項１７に記載の内槽。
【請求項２０】
装着フランジの両側が、それぞれフランジ及び固定フレームに然るべく密接しており、装着フランジとフランジ及び固定フレームがそれぞれボルトで固定接続されており、  好ましくは、フランジの外径は装着カバーの内径よりも大きく、装着フランジの外径よりも小さいことを特徴とする請求項１９に記載の内槽。
【請求項２１】
前記動的シールスリーブは横断面が「Ｃ」型をなすパッキンであり、動的シールスリーブの両端は、それぞれ吐水コネクタのフランジと軸受スリーブに位置規制されるよう当接することを特徴とする請求項１８に記載の内槽。
【請求項２２】
前記固定フレームは、垂直に延伸し、且つ内槽の軸線に対し対称な帯状のプレート材であり、固定フレームの両端は、それぞれ内槽方向に屈曲しており、屈曲部はそれぞれ内槽支持部材の後側に固定接続され、装着カバーが、固定フレームの中心に設けられるとともに、内槽の軸と同軸に設置されることを特徴とする請求項１６〜２１のいずれか１項に記載の内槽。
【請求項２３】
内槽支持部材の後側には、内槽と同軸に設置される駆動モータが固定装着されており、前記駆動モータは、固定フレームと内槽支持部材の間に設けられており、且つ、固定フレーム及び内槽支持部材との間にそれぞれ一定の隙間を隔てており、  好ましくは、導水スリーブは、駆動モータを貫通して駆動モータのロータに固定及び噛合され、導水スリーブの外周には位置規制スリーブが覆設されており、位置規制スリーブは、ロータと装着カバーの間に設けられており、位置規制スリーブの外径は軸受スリーブの直径よりも大きいため、装着カバーからの軸受スリーブの抜け落ちが防止されることを特徴とする請求項２２に記載の内槽。
【請求項２４】
洗濯機の内槽底の中心には、貫通するよう設置される吐水接続口が設けられており、導水スリーブの第１端と吐水接続口が然るべく挿接及び接続されており、内槽から流出した洗浄水は、導水スリーブに沿って洗濯機の排水管に向かって流動するよう案内され、導水スリーブの第１端には、内槽底に固定される接続構造が設けられており、更に、導水スリーブは、洗濯機の駆動モータのロータと噛合して固定され、駆動モータのロータは、導水スリーブを介して内槽を回転させることを特徴とする請求項１５〜２３のいずれか１項に記載の内槽。
【請求項２５】
内槽底の外側には固定接続される支持部材が装着されており、支持部材は内槽底の中心に対して対称に設けられ、支持部材の中心には、吐水接続口を然るべく挿通するための貫通孔が設けられており、導水スリーブの第１端は支持部材に固定接続されるとともに、吐水接続口に然るべく挿接され、  好ましくは、支持部材の中心には、導水スリーブの第１端と然るべく噛合して固定される挿接部が設けられており、吐水接続口は挿接部の端部に同軸に設けられ、且つ、支持部材にヒンジ接続される導水スリーブの第１端と吐水接続口が然るべく挿接及び接続されることを特徴とする請求項２４に記載の内槽。
【請求項２６】
導水スリーブは、内槽の軸線方向に延伸しており、内槽の後端には内槽支持部材が設けられており、内槽支持部材には内槽と同軸に設けられる駆動モータが装着されており、駆動モータのロータの中心は、導水スリーブの第２端の外周に固定接続されることを特徴とする請求項２４又は２５に記載の内槽。
【請求項２７】
内槽支持部材の中心には筒状構造の軸受ハウジングが設けられており、軸受ハウジング内には、内槽と同軸に設置される少なくとも１つの軸受スリーブが設けられており、導水スリーブの中央部が軸受スリーブ内に支持及び装着され、  好ましくは、軸受ハウジングの前後両端には軸受スリーブが１つずつ設けられており、  より好ましくは、前軸受スリーブの内径は後軸受スリーブの内径よりも大きく、導水スリーブには、前軸受スリーブと後軸受スリーブにそれぞれ対応して設置される異なる軸部が設けられており、前後の軸受スリーブがそれぞれ導水スリーブの異なる軸部を然るべく固定及び支持することを特徴
とする請求項２６に記載の内槽。
【請求項２８】
導水スリーブの外周には動的シールリングが更に覆設されており、動的シールリングは、軸受ハウジングと支持部材の間に設けられ、洗浄水の漏出が防止されるよう、動的シールリングの外周は軸受ハウジングの前端に密封状に当接しており、  好ましくは、前記駆動モータは支持部材の後側に設けられており、導水スリーブの第２端は、モータのインナーステータとアウターロータに順に挿通され、アウターロータの中心には、導水スリーブにおける対応する挿通軸部に固定接続されるスプライン穴が設けられており、これと係合するアウタースプラインが導水スリーブの対応する軸部の外周に設けられており、導水スリーブとアウターロータがスプラインの係合によって互いに固定接続され、  好ましくは、導水スリーブの第２端はアウターロータを貫通しており、洗浄水を洗濯機から導出するよう、貫通した第２端は吐水構造を介して洗濯機の排水管と連通しており、  好ましくは、吐水構造は密封された流水室を含んでおり、流水室は、内槽支持部材に固定装着されており、流水室は、外側が吐水コネクタと連通しており、内側が導水スリーブの第２端と連通しており、前記吐水コネクタの端部は洗濯機の排水管と連通しており、導水スリーブから流水室に流入した洗浄水は、吐水コネクタを経由したあと、排水管を通じて洗濯機から流出することを特徴とする請求項２７に記載の内槽。
【請求項２９】
導水スリーブには、第１端から第２端向かって、外周の直径が徐々に小さくなる複数の軸部が設けられていることを特徴とする請求項２４〜２８のいずれか１項に記載の内槽。
【請求項３０】
クリーニング不要洗濯機であって、  請求項１〜２９のいずれか１項に記載の内槽が装着されており、内槽は、開口が扉で閉合されることで密閉される容器であり、内槽の高速回転時に、洗浄水が内槽底方向に流動するよう案内されて、内槽底に設けられた導水流路に沿って内槽底の中心に向かって流動してから、中央コネクタの吐水接続口を通じて内槽から排出されることを特徴とするクリーニング不要洗濯機。 
【発明の詳細な説明】
【技術分野】
【０００１】
本発明は洗濯機の技術分野に属し、具体的には、回転可能且つ貯水可能な内槽のみが設けられる洗濯機に関し、更に、上記の洗濯機に応用される内槽に関する。
【背景技術】
【０００２】
従来技術において、一般的に、ドラム洗濯機は互いに嵌装される内槽と外槽を含む。外槽は密封されて貯水に用いられる。また、内槽には衣類が投入され、内槽を回転させることで衣類を打ち付けて洗浄する。且つ、内槽には脱水孔が設けられ、外槽内の水が脱水孔から内槽に流入して内槽内の衣類を浸漬する。また、内槽内の水は脱水孔から外槽に流出する。且つ、内槽内の衣類の水分は内槽の高速回転時に脱水孔から外槽に排出される。こうして、衣類を洗浄するとの目的が実現される。  
【０００３】
しかし、内槽と外槽は互いに嵌装されるため、洗濯機の使用過程で内槽と外槽の間に汚れが溜まりやすい。また、内槽と外槽が互いに嵌装されることから、ユーザは内槽の外壁と外槽の内壁をクリーニングする術がない。よって、洗濯機内部の細菌が増殖し、洗濯機の洗濯効率や衣類洗浄後の清潔度が低下する。  
【０００４】
また、上述した従来の洗濯機の場合、内槽の外部に外槽が覆設されており、洗濯機の洗浄過程では内槽が回転することで衣類を打ち付けて洗浄する。そのため、洗濯機の洗浄容量は内槽が基準となり、洗濯機の内部空間の利用率が低い。よって、従来をベースにした場合、洗濯機の洗浄容量を増大することは不可能である。  
【０００５】
上記に鑑みて、内槽と外槽を一体化するか、密閉された内槽を直接設置することで内槽を密封容器とし、水と衣類を投入可能であるとともに、回転により衣類を打ち付けて洗浄を実施可能であるほか、洗浄水が内槽と外槽の間に流動することで内槽と外槽の間の洗浄が必要になるとの課題も回避可能な洗濯機を如何にして設置するか、及び、洗濯機に外槽を設けないか、外槽と洗濯機のハウジングを一体的に設けることで、洗濯機の内槽を拡大し、洗濯機の洗浄容量を増大可能とすることが研究開発の焦点となっている。  
【０００６】
しかし、内槽は洗浄水を貯めるだけでなく、回転により槽内の衣類を打ち付けて洗浄を実施する必要がある。そのため、上記洗濯機に適用される脱水構造及び排水構造を如何に設置するかもまた喫緊に解決を要する難題となっている。  
【０００７】
上記の技術的欠点に鑑みて、本願を提案する。
【発明の概要】
【発明が解決しようとする課題】
【０００８】
本発明は、従来技術に存在する上記の瑕疵を解消するために、内槽が洗浄水の収容及び衣類の攪動という２つの機能を兼ね備えるよう実現する洗濯機を提供することを目的とする。本発明は、更に、内槽内の洗浄水を内槽底に設けられた導水流路に向かって集束的に流動させるよう案内することで、洗浄水の排水効率を向上させるとの目的を達成する内槽に関する。
【課題を解決するための手段】
【０００９】
上記の技術的課題を解決し、上記の技術的効果を達成するために、本発明が採用する技術方案の基本的設計思想は以下の通りである。  
【００１０】
内槽であって、内槽には、内槽の構成線に沿って延伸する複数のリフティングリブが設けられている。リフティングリブの内部は中空となっている。また、リフティングリブの撹水面には、リフティングリブの中空部と内槽の内部とを連通させる複数の通水孔が設けられている。且つ、リフティングリブの後端は内槽底寄りに設置されるとともに、吐水構造が設けられている。  
【００１１】
更に、内槽底には、外周から中心に向かって延伸する複数の導水流路が設けられている。導水流路の外周端はそれぞれリフティングリブに対応して設けられており、前記リフティングリブ及び対応する導水流路は、内槽の径方向における同一断面に設けられている。更に、リフティングリブの後端に設けられる吐水構造は、リフティングリブの後端に設けられる通水孔、及び／又は、リフティングリブの後端と洗濯機の内槽壁との接続箇所に設けられる切欠きである。前記通水孔及び／又は切欠きは、リフティングリブの内部と内槽とを連通させる。好ましくは、導水流路の一端は、内槽の側壁と一定の隙間を隔てて内槽底の外周に設けられている。また、これに対応するリフティングリブの後端と洗濯機の内槽壁との接続箇所に切欠きが設けられている。前記切欠きは、隙間に近接して内槽の同一構成線に沿って設けられる。より好ましくは、リフティングリブの後端と内槽底は一定の隙間を隔てており、内槽内の洗浄水が隙間から導水流路に流れ込む。更に、リフティングリブの中空部には、内槽の構成線に沿って延伸する邪魔板が設けられている。邪魔板は、リフティングリブの中空部を互いに独立した２つの部分に分割する。２つの部分は、それぞれ対応する側の撹水面に設けられた通水孔を通じて内槽と連通する。更に、邪魔板は、リフティングリブの中心線に沿って延伸している。また、邪魔板の両側における互いに独立した空間は、それぞれリフティングリブの後部に設けられた吐水構造と連通している。これにより、２つの独立した空間内の洗浄水を、いずれもリフティングリブの後端における吐水構造から対応する導水流路へと排出することが可能である。更に、リフティングリブの内部の洗浄水を、邪魔板に沿ってリフティングリブの後端の中心に向かって集束的に流動させるよう案内し、洗浄水を対応する導水流路内へと直接流動させるよう、前記邪魔板の左右両側面は、いずれも内槽底から内槽の槽口方向に向かって、リフティングリブの軸線から離間する方向に徐々に傾斜する斜面をなしている。更に、前記内槽は、開口から内槽底の方向に向かって徐々に直径が拡大するテーパー状の槽となっている。更に、内槽底には、外周から中心まで延伸する複数の導水流路が配置されている。また、内槽底の中心には、各導水流路の端部とそれぞれ連通する中央コネクタが設けられている。中央コネクタの後端には、内槽底を貫通する吐水接続口が設けられている。これにより、内槽内の洗浄水は、遠心力の作用を受けると、導水流路を経由して中央コネクタまで流動したあと、吐水接続口を通じて内槽から流出する。更に、内槽底の内側には、槽内に突出し、且つ内槽底の中心に対して対称に配置される複数の攪水リブが設けられている。攪水リブは、内槽底の外周から中心方向に向かって、内槽底の径方向に延伸している。攪水リブの内部は中空となっており、中空部によって導水流路が構成されている。各導水流路の一端はいずれも内槽底の外周に位置しており、且つ内槽とそれぞれ連通している。  
【００１２】
本発明では、更に、クリーニング不要洗濯機について説明する。洗濯機には、上記いずれかで述べた内槽が装着されている。内槽は、開口が扉で閉合されることで密閉される容器である。内槽の高速回転時に、洗浄水は内槽底方向に流動するよう案内されて、内槽底に設けられた導水流路に沿って内槽底の中心に向かって流動してから、中央コネクタの吐水接続口を通じて内槽から排出される。  
【００１３】
本発明で記載する洗濯機は、従来技術の洗濯機と比較して以下の有益な効果を有する。  
【００１４】
上記の設置によれば、内槽の高速回転時の遠心力を利用して、内槽内の洗浄水を内槽底に設けられた導水流路に案内して排出するとの目的が実現される。これにより、内槽の高速回転時には洗浄水を制御可能に排出し、内槽が正常に回転して洗浄する際には内槽内に水を蓄えて洗浄するという２つの効果が達せられる。更には、洗濯機が脱水及び／又は排水プログラムを実行する際に、内槽の高速回転による遠心力の作用で洗浄水を自動的に導水流路に沿って排出したあとに、導水スリーブに沿って洗濯機から排出するとの目的が達せられる。更に、内槽の側壁に複数のリフティングリブを設置することで、内槽の高速回転時には、壁に密着して流動する洗浄水がリフティングリブの妨害作用を受けてリフティングリブの内部に流れ込む。そして、遠心力の作用によって、洗浄水はリフティングリブの内部空間に沿って内槽底方向へと流動する。これにより、洗浄水の乱流によって排水速度が低下するとの事態が回避される。  
【００１５】
本発明は、従来技術に存在する上記の瑕疵を解消するために、内槽が洗浄水の収容及び衣類の攪動という２つの機能を兼ね備えるよう実現する洗濯機を提供することを目的とする。本発明は、更に、内槽内に蓄えられた洗浄水を内槽の高速回転による遠心力を利用して円滑に排出するとの目的を実現する内槽に関する。  
【００１６】
上記の技術的課題を解決し、上記の技術的効果を達成するために、本発明が採用する技術方案の基本的設計思想は以下の通りである。  
【００１７】
内槽であって、内槽底には、外周から中心まで延伸する複数の導水流路が配置されている。また、内槽底の中心には、各導水流路の端部とそれぞれ連通する中央コネクタが設けられている。中央コネクタの後端には、内槽底を貫通する吐水接続口が設けられている。これにより、内槽内の洗浄水は、遠心力の作用を受けると、導水流路を経由して中央コネクタまで流動したあと、吐水接続口を通じて内槽から流出する。  
【００１８】
更に、前記内槽は、開口から内槽底の方向に向かって徐々に直径が拡大するテーパー状の槽となっている。更に、内槽底の内側には、槽内に突出し、且つ内槽底の中心に対して対称に配置される複数の攪水リブが設けられている。攪水リブは、内槽底の外周から中心方向に向かって、内槽底の径方向に延伸している。攪水リブの内部は中空となっており、中空部によって導水流路が構成されている。各導水流路の一端はいずれも内槽底の外周に位置しており、且つ内槽とそれぞれ連通している。更に、内槽の側壁には、槽内に突出する複数のリフティングリブが設けられている。リフティングリブの内部は中空となっている。また、リフティングリブの撹水面には内部と連通する通水孔が設けられている。リフティングリブの後端は内槽底寄りに設置されており、且つ、内部を内槽と連通する吐水構造が設けられている。好ましくは、リフティングリブは内槽の側壁の構成線方向に沿って延伸しており、リフティングリブの左右の側面にそれぞれ複数の通水孔が均一に配置されている。更に、各導水流路には、対向するリフティングリブが１つずつ設けられている。前記導水流路及び対応するリフティングリブは、内槽の径方向の同一断面に沿って延伸している。好ましくは、リフティングリブの後端の吐水構造は、対応する導水流路の端部に近接して設置される。更に、リフティングリブの後端に設けられる吐水構造は、リフティングリブの後端に設けられる通水孔、及び／又は、リフティングリブの後端と洗濯機の内槽壁との接続箇所に設けられる切欠きである。前記通水孔及び／又は切欠きは、リフティングリブの内部と内槽とを連通させる。好ましくは、導水流路の一端は、内槽の側壁と一定の隙間を隔てて内槽底の外周に設けられている。また、これに対応するリフティングリブの後端と洗濯機の内槽壁との接続箇所に切欠きが設けられている。前記切欠きは、隙間に近接して内槽の同一構成線に沿って設けられる。より好ましくは、リフティングリブの後端と内槽底は一定の隙間を隔てており、内槽内の洗浄水が隙間から導水流路に流
れ込む。更に、前記中央コネクタは内槽底の中心に固定装着されている。前記中央コネクタは、円環状又は半円球状の本体を含んでいる。中央コネクタの本体の内部は中空となっており、通水室を構成している。中央コネクタ本体の外周には、導水流路内の洗浄水を通水室内に案内するために、各導水流路に然るべく接続される給水口が設けられている。更に、中央コネクタの後端には、同軸に設置され、且つ後方へ延伸する吐水接続口が設けられている。吐水接続口は内槽底を貫通して、通水室と内槽の外部とを連通させている。好ましくは、吐水接続口の挿通端は、導水スリーブの端部に然るべく挿接され、導水スリーブの他端は、内槽から流出した洗浄水を洗濯機の外部に排出するために、洗濯機の吐水管と連通している。更に、中央コネクタと洗濯機の内槽底は一体的に設置されており、中央コネクタの外周と内槽底の間は平滑な曲面によって接続されている。  
【００１９】
本発明では、更に、クリーニング不要洗濯機について説明する。洗濯機には、上記いずれかで述べた内槽が装着されている。内槽は、開口が扉で閉合されることで密閉される容器である。内槽の高速回転時に、洗浄水は内槽底方向に流動するよう案内されて、内槽底に設けられた導水流路に沿って内槽底の中心に向かって流動してから、中央コネクタの吐水接続口を通じて内槽から排出される。  
【００２０】
本発明で記載する洗濯機は、従来技術の洗濯機と比較して以下の有益な効果を有する。  
【００２１】
上記の設置によれば、内槽の高速回転時の遠心力を利用して、内槽内の洗浄水を内槽底に設けられた導水流路に案内して排出するとの目的が実現される。これにより、内槽の高速回転時には洗浄水を制御可能に排出し、内槽が正常に回転して洗浄する際には内槽内に水を蓄えて洗浄するという２つの効果が達せられる。更には、洗濯機が脱水及び／又は排水プログラムを実行する際に、内槽の高速回転による遠心力の作用で洗浄水を自動的に導水流路に沿って排出したあとに、導水スリーブに沿って洗濯機から排出するとの目的が達せられる。更に、上記の設置によれば、内槽底の中心に中央コネクタを設置することで、内槽底の外周における各導水流路がいずれも内槽の中心に集束するとともに、中央コネクタに集束するよう流れてきた洗浄水が後方に向かって内槽から排出される。これにより、内槽の高速回転時に内槽底の外周に集束した洗浄水を排出するよう案内するとの目的が達せられる。  
【００２２】
本発明は、従来技術に存在する上記の瑕疵を解消するために、内槽が洗浄水の収容及び衣類の攪動という２つの機能を兼ね備えるよう実現する洗濯機を提供することを目的とする。本発明は、更に、内槽内の洗浄水の排出と、内槽の動力駆動という２つの効果を兼ね備える導水スリーブに関する。  
【００２３】
上記の技術的課題を解決し、上記の技術的効果を達成するために、本発明が採用する技術方案の基本的設計思想は以下の通りである。  
【００２４】
導水スリーブであって、洗濯機の内槽底の中心には、貫通するよう設置される吐水接続口が設けられており、導水スリーブの第１端と吐水接続口が然るべく挿接及び接続されている。これにより、内槽から流出した洗浄水は、導水スリーブに沿って洗濯機の排水管に向かって流動するよう案内される。導水スリーブの第１端には、内槽底に固定される接続構造が設けられている。更に、導水スリーブは、洗濯機の駆動モータのロータと噛合して固定される。これにより、駆動モータのロータは、導水スリーブを介して内槽を回転させる。  
【００２５】
更に、内槽底の外側には固定接続される支持部材が装着されている。支持部材は内槽底の中心に対して対称に設けられる。また、支持部材の中心には、吐水接続口を然るべく挿通するための貫通孔が設けられている。導水スリーブの第１端は支持部材に固定接続されるとともに、吐水接続口に然るべく挿接される。更に、支持部材の中心には、導水スリーブの第１端と然るべく噛合して固定される挿接部が設けられている。また、吐水接続口は挿接部の端部に同軸に設けられている。且つ、支持部材にヒンジ接続される導水スリーブの第１端と吐水接続口が然るべく挿接及び接続される。更に、導水スリーブは、内槽の軸線方向に延伸している。内槽の後端には内槽支持部材が設けられており、内槽支持部材には内槽と同軸に設けられる駆動モータが装着されている。駆動モータのロータの中心は、導水スリーブの第２端の外周に固定接続される。更に、内槽支持部材の中心には筒状構造の軸受ハウジングが設けられている。軸受ハウジング内には、内槽と同軸に設置される少なくとも１つの軸受スリーブが設けられており、導水スリーブの中央部が軸受スリーブ内に支持及び装着される。好ましくは、軸受ハウジングの前後両端には軸受スリーブが１つずつ設けられている。より好ましくは、前軸受スリーブの内径は後軸受スリーブの内径よりも大きい。導水スリーブには、前軸受スリーブと後軸受スリーブにそれぞれ対応して設置される異なる軸部が設けられている。これにより、前後の軸受スリーブがそれぞれ導水スリーブの異なる軸部を然るべく固定及び支持する。更に、導水スリーブの外周には動的シールリングが覆設されている。動的シールリングは、軸受ハウジングと支持部材の間に設けられる。動的シールリングの外周は軸受ハウジングの前端に密封状に当接しているため、洗浄水の漏出が防止される。更に、前記駆動モータは支持部材の後側に設けられる。導水スリーブの第２端は、モータのインナーステータとアウターロータに順に挿通される。アウターロータの中心には、導水スリーブにおける対応する挿通軸部に固定接続されるスプライン穴が設けられている。また、これと係合するアウタースプラインが導水スリーブの対応する軸部の外周に設けられており、導水スリーブとアウターロータがスプラインの係合によって互いに固定接続される。更に、導水スリーブの第２端はアウターロータを貫通している。また、洗浄水を洗濯機から導出するために、貫通した第２端は吐水構造を介して洗濯機の排水管と連通している。好ましくは、吐水構造は密封された流水室を含んでいる。流水室は、内槽支持部材に固定装着されている。流水室は、外側が吐水コネクタと連通しており、内側が導水スリーブの第２端と連通している。また、前記吐水コネクタの端部は洗濯機の排水管と連通している。これにより、導水スリーブから流水室に流入した洗浄水は、吐水コネクタを経由したあと、排水管を通じて洗濯機から流出する。更に、導水スリーブには、第１端から第２端向かって、外周の直径が徐々に小さくなる複数の軸部が設けられている。  
【００２６】
クリーニング不要洗濯機であって、洗濯機の内槽は、開口が扉で閉合されることで密閉される容器である。内槽の高速回転時に、洗浄水は内槽底方向に流動するよう案内されて、内槽底に設けられた導水流路に沿って内槽底の中心に向かって流動してから、中央コネクタの吐水接続口を通じて内槽から排出される。内槽底の後端の吐水接続口と上記の導水スリーブの第１端は然るべく挿接されて連通している。これにより、流出した洗浄水は、導水スリーブを経由して洗濯機の排水管まで案内されたあと排出される。  
【００２７】
本発明で記載する洗濯機は、従来技術の洗濯機と比較して以下の有益な効果を有する。  
【００２８】
上記の設置によれば、内槽の高速回転時の遠心力を利用して、内槽内の洗浄水を内槽底に設けられた導水流路に案内して排出するとの目的が実現される。これにより、内槽の高速回転時には洗浄水を制御可能に排出し、内槽が正常に回転して洗浄する際には内槽内に水を蓄えて洗浄するという２つの効果が達せられる。更には、洗濯機が脱水及び／又は排水プログラムを実行する際に、内槽の高速回転による遠心力の作用で洗浄水を自動的に導水流路に沿って排出したあとに、導水スリーブに沿って洗濯機から排出するとの目的が達せられる。更に、洗濯機の後側に導水スリーブを設置し、導水スリーブの中心貫通孔が内槽から流出した洗浄水を排出するための経路を構成することで、遠心力を利用して、内槽内の洗浄水を導水スリーブに沿って円滑に排出するとの目的が実現される。更に、導水スリーブは、内槽と駆動モータの間の接続軸を構成するため、駆動モータが導水スリーブを利用して動力を伝達し、内槽を回転駆動させるとの目的が実現される。  
【００２９】
本発明は、従来技術に存在する上記の瑕疵を解消するために、内槽が洗浄水の収容及び衣類の攪動という２つの機能を兼ね備えるよう実現する洗濯機を提供することを目的とする。本発明は、更に、内槽と共に回転する導水スリーブから導出された洗浄水を洗濯機の排水管まで案内して排出するとの目的を達成する洗濯機の吐水構造に関する。  
【００３０】
上記の技術的課題を解決し、上記の技術的効果を達成するために、本発明が採用する技術方案の基本的設計思想は以下の通りである。  
【００３１】
洗濯機の吐水構造であって、洗濯機の内槽支持部材の後側には、密封された流水室が固定装着されている。流水室には内槽支持部材に固定される吐水コネクタが設けられており、内槽と共に回転する導水スリーブの端部が流水室内まで伸入している。これにより、内槽から流出した洗浄水は、導水スリーブに沿って排出される。  
【００３２】
更に、洗濯機の内槽支持部材の後側には固定フレームが固定装着されている。固定フレームには吐水コネクタが固定装着されており、固定フレームには、吐水コネクタと連通する密封された流水室が設けられている。内槽と共に回転する導水スリーブの端部は流水室内まで伸入しており、且つ、挿入接続箇所には動的シール処理が施されている。これにより、内槽から導水スリーブに沿って流出した洗浄水は、流水室に案内されたあと吐水コネクタを経由して流出する。更に、固定フレームの中心には、内槽と同軸に設置される貫通孔が設けられている。貫通孔には、内槽と同軸に設置される筒状の装着カバーが装着されている。装着カバーは、前側が導水スリーブの端部に然るべく密封状に挿接され、後側が吐水コネクタに密封接続されている。これにより、装着カバーの中空部によって密閉された流水室が取り囲まれる。更に、装着カバー内には、前方から後方に向かって、導水スリーブを位置決め及び支持するための軸受スリーブと、導水スリーブを密封処理するための動的シールスリーブが順に装着されている。軸受スリーブと動的シールスリーブは、導水スリーブの外周に然るべく覆設され、動的シールスリーブの外周と装着カバーの内壁とが密封状に密接している。更に、前記吐水コネクタは、装着カバーの後側を覆うフランジを含んでおり、フランジが装着カバーの後側に密封接続される。フランジの中心には、内槽と同軸に設置される吐水口が設けられており、吐水口と流水室が然るべく連通している。好ましくは、吐水口は、フランジから後方へ突出するよう延伸する筒状の開口である。より好ましくは、フランジの前側には、装着カバーの内部に向かって突出する位置規制リブが周設されている。位置規制リブの端部はシールスリーブに当接している。また、位置規制リブの外径は、装着カバーの内径と等しい大きさに設けられており、位置規制リブと装着カバーの内壁とが然るべく密接している。更に、装着フランジの両側が、それぞれフランジ及び固定フレームに然るべく密接しており、装着フランジとフランジ及び固定フレームがそれぞれボルトで固定接続されている。好ましくは、フランジの外径は装着カバーの内径よりも大きく、装着フランジの外径よりも小さい。更に、前記動的シールスリーブは横断面が「Ｃ」型をなすパッキンである。動的シールスリーブの両端は、それぞれ吐水コネクタのフランジと軸受スリーブに位置規制されるよう当接している。更に、前記固定フレームは、垂直に延伸し、且つ内槽の軸線に対し対称な帯状のプレート材である。固定フレームの両端は、それぞれ内槽方向に屈曲している。屈曲部はそれぞれ内槽支持部材の後側に固定接続される。また、装着カバーが、固定フレームの中心に設けられるとともに、内槽の軸と同軸に設置される。更に、内槽支持部材の後側には、内槽と同軸に設置される駆動モータが固定装着されて
いる。前記駆動モータは、固定フレームと内槽支持部材の間に設けられており、且つ、固定フレーム及び内槽支持部材との間にそれぞれ一定の隙間を隔てている。好ましくは、導水スリーブは、駆動モータを貫通して駆動モータのロータに固定及び噛合される。導水スリーブの外周には位置規制スリーブが覆設されており、位置規制スリーブは、ロータと装着カバーの間に設けられている。位置規制スリーブの外径は軸受スリーブの直径よりも大きいため、装着カバーからの軸受スリーブの抜け落ちが防止される。  
【００３３】
本発明では、更に、クリーニング不要洗濯機について説明する。洗濯機の内槽は、開口が扉で閉合されることで密閉される容器である。内槽の高速回転時に、洗浄水は内槽底方向に流動するよう案内されて、内槽底に設けられた導水流路に沿って内槽底の中心に向かって流動してから、中央コネクタの吐水接続口を通じて内槽から排出される。内槽底の後端の吐水接続口は、導水スリーブの第１端に然るべく挿接されて連通している。また、導水スリーブの第２端は、上記いずれかで述べた吐水構造を介して洗濯機の排水管と連通している。  
【００３４】
本発明で記載する洗濯機は、従来技術の洗濯機と比較して以下の有益な効果を有する。  
【００３５】
上記の設置によれば、内槽の高速回転時の遠心力を利用して、内槽内の洗浄水を内槽底に設けられた導水流路に案内して排出するとの目的が実現される。これにより、内槽の高速回転時には洗浄水を制御可能に排出し、内槽が正常に回転して洗浄する際には内槽内に水を蓄えて洗浄するという２つの効果が達せられる。更には、洗濯機が脱水及び／又は排水プログラムを実行する際に、内槽の高速回転による遠心力の作用で洗浄水を自動的に導水流路に沿って排出したあとに、導水スリーブに沿って洗濯機から排出するとの目的が達せられる。更に、洗濯機の後側に流水室を設けるとともに、洗浄水を外部に流出させるよう案内するための、内槽と共に回転する導水スリーブを流水室と動的にシール接続したあとに、洗濯機の排水管に然るべく直接挿接することで、導水スリーブを排水管に直接接続した場合に発生する回転が同期せず、接続不可能になるとの課題が回避される。これにより、導水スリーブから導出された洗浄水を円滑に洗濯機から排出するとの目的が実現される。  
【００３６】
本発明の技術方案の設計思想をより明確とすることで、これによりもたらされる有益な効果がより容易に理解されるよう、以下に、図面を組み合わせて本発明の一部の具体的実施形態につき詳細に記載する。  
【００３７】
図面は、本発明の一部として本発明の更なる理解のために用いられる。また、本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００３８】
【図１】図１は、本発明の実施例における洗濯機の内槽構造を示す図である。
【図２】図２は、本発明の実施例における洗濯機の装着構造を示す図である。
【図３】図３は、本発明の実施例における洗濯機の断面構造を示す図である。
【図４】図４は、本発明の実施例の図３におけるＡ部分の拡大構造を示す図である。
【図５】図５は、本発明の実施例の図３におけるＢ部分の拡大構造を示す図である。
【図６】図６は、本発明の実施例の図３におけるＣ部分の拡大構造を示す図である。
【図７】図７は、本発明の実施例における導水スリーブの装着箇所の分解構造を示す図である。
【図８】図８は、本発明の実施例におけるリフティングリブの構造を示す図である。
【図９】図９は、本発明の他の実施例におけるリフティングリブの構造を示す図である。
【発明を実施するための形態】
【００３９】
説明すべき点として、これらの図面及び文字記載は何らかの方式で本発明の構想の範囲を制限するとの意図ではなく、特定の実施例を参照して当業者に本発明の概念を説明するためのものである。  
【００４０】
本発明における実施例の目的、技術方案及び利点をより明確とすべく、以下では、本発明の実施例にかかる図面を組み合わせて、実施例の技術方案につき明瞭簡潔に述べる。なお、以下の実施例は本発明を説明するためのものであって、本発明の範囲を制限するものではない。  
【００４１】
本発明の記載において、説明すべき点として、「上」、「下」、「前」、「後」、「左」、「右」、「垂直」、「内」、「外」等の用語で示される方向又は位置関係は、図示に基づく方向又は位置関係であって、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。  
【００４２】
本発明の記載において、説明すべき点として、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。  
【００４３】
図１〜図９に示すように、本発明の実施例では洗濯機について説明する。洗濯機はハウジングを含み、ハウジング内に内槽１が設けられている。内槽１の軸線は水平に延伸するか、前方から後方へ徐々に下向きに傾斜して設けられる。内槽１の前端は開口して設けられる内槽の槽口となっており、後端は密封状に設けられる内槽底となっている。内槽１の槽壁には貫通孔が設けられていないため、内槽１の内部は、前部のみが開口して設けられる密封容器を構成する。また、洗濯機のハウジングの前端には、外側に開放可能な扉が装着されている。そのため、扉を閉止することで内槽の槽口が封止され、扉を開放することで、内槽の槽口から内槽１の内部に衣類を投入するとの目的が達せられる。内槽１の後端は、内槽支持部材を介して洗濯機のハウジング内に装着される。前記内槽支持部材は内槽１の後端に同軸に設けられる。内槽支持部材の上下両端は、それぞれ内槽１の前端の槽口方向に屈曲している。屈曲部は少なくとも内槽１の中央部まで延伸し、上下の屈曲部がそれぞれ制震吊りバネと制震支持ロッドを介して洗濯機のハウジングに接続される。これにより、内槽支持部材を震動可能に洗濯機のハウジング内に装着するとの目的が実現される。且つ、内槽底の中心は、内槽を回転駆動させるために、洗濯機の駆動モータのモータ軸に同軸に設置される。内槽と駆動モータは、いずれも内槽支持部材に固定装着される。好ましくは、内槽底と駆動モータは、それぞれ内槽支持部材の両側に設けられる。駆動モータは内槽支持部材に固定接続される。駆動モータのモータ軸は、軸受を介して内槽支持部材を貫通し、内槽底に同軸に固定接続される。且つ、駆動モータの軸は、内槽支持部材に対し回転可能である。これにより、内槽支持部材に対する内槽１と駆動モータの装着が実現されるとともに、駆動モータの作用によって、内槽１が単独で回転することにより内部の衣類を洗浄可能になるとの目的が達せられる。  
【００４４】
更に、本発明の実施例における洗濯機は、従来技術における扉が内槽の槽口を閉止することで内槽が密封容器を構成する任意の洗濯機とすればよい。洗濯機が脱水プログラムを実行する際には、内槽が高速回転するよう制御される。これにより、内槽内で衣類から離脱した水流が内槽から円滑に排出されるため、内槽に孔を有さない洗濯機において正常に脱水プログラムを実行するとの目的が達成される。よって、本発明の実施例における洗濯機は図中の構造に限らず、例えば、従来の一般的な洗濯機としてもよい。洗濯機は、内槽１が脱水孔を有さず、且つ扉により内槽の槽口を閉止することで密封容器を形成するものであればよい。言うまでもなく、洗濯機の内槽の槽口に内槽蓋を単独で設置してもよい。この場合には、扉を利用せずに内槽蓋を単独で操作可能であり、且つ、内槽蓋を用いて内槽の槽口を密封状に閉止することが可能となる。また、本発明の実施例における洗濯機は、トップオープン式の洗濯機に適用してもよい。この場合、内槽の側壁に衣類投入口が設けられるとともに、外側へ反転するよう開閉することで衣類投入口を然るべく密封可能な扉体が内槽の側壁に設けられる。これにより、内槽が回転を停止して然るべき位置に位置決めされたあと、ユーザは、扉体を然るべく開放することで、衣類投入口から洗濯機の内槽の内部に対し衣類の出し入れを行うことが可能となる。  
【００４５】
また、扉を閉合することで洗浄用の密封容器となるように内槽を設けることで、衣類は洗浄過程において密封された内槽内の洗浄水とのみ接触する。これにより、内槽と外槽の間の洗浄水が内槽内に流入して衣類を汚染するとの事態が回避されるため、洗濯機による洗浄の清潔度が大幅に向上する。また、内槽と外槽の間が洗浄水により汚染されることで洗濯機による衣類の洗浄が徹底されないとの事態が回避される。  
【００４６】
本発明の実施例では、クリーニング不要洗濯機について説明する。洗濯機の内槽１は、扉が内槽の槽口に掛合されることで密閉される容器である。内槽底には、外周から中心まで延伸する複数の導水流路が配置されている。また、内槽底の中心には、各導水流路の端部とそれぞれ連通する中央コネクタが設けられている。中央コネクタの後端には内槽底を貫通する吐水接続口が設けられており、吐水接続口は導水スリーブの第１端と連通している。導水スリーブの第２端は、駆動モータを貫通したあとに、内槽支持部材に固定装着されている流水室と連通する。また、流出室に設けられた吐水接続口は洗濯機の排水管と連通している。これにより、内槽が高速回転する際に、内槽内の洗浄水は内槽底へと案内され、内槽底の外周における導水流路の端部を通じて内槽から流出したあと、導水スリーブに沿って排出される。  
【００４７】
また、本発明の実施例では、洗濯機の排水管に吸引ポンプが設けられている。吸引ポンプが動作すると、管路を通じて導水流路と内槽との連通箇所に作用が及び、導水流路の連通端に負圧が形成される。これにより、内槽内の洗浄水が、導水流路、中央コネクタ、導水スリーブ、排水管に沿って流出するため、洗濯機からの排水水流に流動動力を付与するとの目的が達せられる。  
【００４８】
本発明の実施例では、遠心力が作用したときに、内槽内の洗浄水を内槽底方向に集束的に流動させるために、内槽を前方から後方へ向かって徐々に槽径が拡大するテーパー状の槽とし、内槽底を内槽の大径端としている。これにより、内槽が高速回転する際に、内槽内の洗浄水は遠心力の作用を受けて内槽壁に密着しながら流動し、テーパー状の槽壁に沿って内槽底方向に集束するよう流動する。  
【００４９】
上記の設置によれば、内槽の高速回転時の遠心力を利用して、内槽内の洗浄水を内槽底に設けられた導水流路に案内して排出するとの目的が実現される。これにより、内槽の高速回転時には洗浄水を制御可能に排出し、内槽が正常に回転して洗浄する際には内槽内に水を蓄えて洗浄するという２つの効果が達せられる。更には、洗濯機が脱水及び／又は排水プログラムを実行する際に、内槽の高速回転による遠心力の作用で洗浄水を自動的に導水流路に沿って排出したあとに、導水スリーブに沿って洗濯機から排出するとの目的が達せられる。
【実施例１】
【００５０】
図１〜図９に示すように、本実施例では、本発明のクリーニング不要洗濯機に応用される内槽について説明する。内槽底６には、外周から中心まで延伸する複数の導水流路３が配置されている。また、内槽底６の中心には、各導水流路３の端部とそれぞれ連通する中央コネクタ５が設けられている。中央コネクタ５の後端には、内槽底６を貫通する吐水接
続口５０１が設けられている。これにより、内槽１内の洗浄水は、遠心力の作用を受けると、導水流路３を経由して中央コネクタ５まで流動したあと、吐水接続口５０１を通じて内槽１から流出する。  
【００５１】
上記の設置によれば、内槽底の中心に中央コネクタを設置することで、内槽底の外周における各導水流路がいずれも内槽の中心に集束するとともに、中央コネクタに集束するよう流れてきた洗浄水が後方に向かって内槽から排出される。これにより、内槽の高速回転時に内槽底の外周に集束した洗浄水を排出するよう案内するとの目的が達せられる。  
【００５２】
図１及び図２に示すように、本実施例において、前記内槽１は、開口から内槽底６の方向に向かって徐々に直径が拡大するテーパー状の槽となっている。これにより、内槽１内の洗浄水が壁に密着して流動する際に、遠心力の作用を受けて、大径端の内槽底方向に集束的に流動するよう保証される。  
【００５３】
本実施例において、内槽底６の内側には、槽内に突出し、且つ内槽底の中心に対して対称に配置される複数の攪水リブ７が設けられている。攪水リブ７は、内槽底６の外周から中心方向に向かって、内槽底６の径方向に延伸している。攪水リブ７の内部は中空となっており、中空部によって導水流路３が構成されている。各導水流路３の一端はいずれも内槽底６の外周に位置しており、且つ内槽１とそれぞれ連通している。これにより、導水流路が攪水リブの内部に隠匿して設けられるとともに、導水流路を構成する攪水リブが内槽から内側に向かって突出し、内槽の回転時に槽内に投入された衣類と洗浄水を攪動することで洗浄効果を向上させる、という２つの目的が達せられる。  
【００５４】
図３及び図４に示すように、本実施例において、内槽１の側壁には、槽内に突出する複数のリフティングリブ２が設けられている。リフティングリブ２の内部は中空となっている。また、リフティングリブ２の撹水面には内部と連通する通水孔８が設けられている。リフティングリブ２の後端は内槽底６寄りに設置されており、且つ、内部を内槽１と連通する吐水構造が設けられている。好ましくは、リフティングリブ２は内槽１の側壁の構成線方向に沿って延伸しており、リフティングリブ２の左右の側面にそれぞれ複数の通水孔８が均一に配置されている。内槽の側壁に複数のリフティングリブを設置することで、内槽の高速回転時には、壁に密着して流動する洗浄水がリフティングリブの妨害作用を受けてリフティングリブの内部に流れ込む。そして、遠心力の作用によって、洗浄水はリフティングリブの内部空間に沿って内槽底方向へと流動する。これにより、洗浄水の乱流によって排水速度が低下するとの事態が回避される。  
【００５５】
図１〜図３に示すように、本実施例において、各導水流路３には、対向するリフティングリブ２が１つずつ設けられている。前記導水流路３及び対応するリフティングリブ２は、内槽の径方向の同一断面に沿って延伸している。好ましくは、リフティングリブ２の後端の吐水構造は、対応する導水流路３の端部に近接して設置される。各導水流路部分に対し、対応するリフティングリブを１つずつ設置することで、リフティングリブに妨げられて内槽底に案内された洗浄水は、対応する導水流路内に直接流れ込む。これにより、１対１で対向するリフティングリブと導水流路によって完全な排水経路が形成されるため、排水の流速と効率が向上する。  
【００５６】
図８及び図９に示すように、本実施例において、リフティングリブ２の後端に設けられる吐水構造は、リフティングリブ２の後端に設けられる通水孔８、及び／又は、リフティングリブ２の後端と洗濯機の内槽１の壁との接続箇所に設けられる切欠き９である。前記通水孔８及び／又は切欠き９は、リフティングリブ２の内部と内槽１とを連通させる。好ましくは、導水流路３の一端は、内槽１の側壁と一定の隙間を隔てて内槽底６の外周に設けられている。また、これに対応するリフティングリブ２の後端と洗濯機の内槽１の壁との接続箇所に切欠き９が設けられている。前記切欠き９は、隙間に近接して内槽１の同一構成線に沿って設けられる。より好ましくは、リフティングリブ２の後端と内槽底６は一定の隙間を隔てており、内槽内の洗浄水が隙間から導水流路に流れ込む。  
【００５７】
図３及び図５に示すように、本実施例において、前記中央コネクタ５は内槽底６の中心に固定装着されている。前記中央コネクタ５は、円環状又は半円球状の中央コネクタ本体５００を含んでいる。中央コネクタ本体５００の内部は中空となっており、通水室１０を構成している。中央コネクタ本体５００の外周には、導水流路３内の洗浄水を通水室１０内に案内するために、各導水流路３に然るべく接続される給水口が設けられている。  
【００５８】
本実施例において、中央コネクタ５の後端には、同軸に設置され、且つ後方へ延伸する吐水接続口５０１が設けられている。吐水接続口５０１は内槽底６を貫通して、通水室１０と内槽１の外部とを連通させている。好ましくは、吐水接続口５０１の挿通端は、導水スリーブ１１の端部に然るべく挿接され、導水スリーブ１１の他端は、内槽から流出した洗浄水を洗濯機の外部に排出するために、洗濯機の吐水管と連通している。  
【００５９】
本実施例において、中央コネクタ５と洗濯機の内槽底６は一体的に設置されており、中央コネクタ５の外周と内槽底６の間は平滑な曲面によって接続されている。  
【００６０】
好ましくは、中央コネクタ５は、内槽１の後側に設けられる支持部材２０に固定接続される。支持部材２０を内槽底６の後側に然るべく組み付けたときに、中央コネクタ５が内槽１内に然るべく挿入されるよう、内槽底６の中心には中央コネクタ５を挿通するための対応する貫通孔が設けられている。これにより、組み付けのステップが簡略化され、組み付け速度が上昇する。より好ましくは、中央コネクタ本体５００と吐水接続口５０１は取り外し可能に固定接続され、吐水接続口５０１と支持部材２０は固定接続されるか、一体的に設置される。そのため、支持部材２０を内槽底６に然るべく組み付けたあとに、中央コネクタ本体５００を内槽底６の内側から吐水接続口５０１に然るべく固定することで、中央コネクタと各導水流路の組み付けを実現できるとともに、支持部材の装着を保証可能となり、内槽底からの支持部材の離脱が回避される。
【実施例２】
【００６１】
図１〜図９に示すように、本実施例では導水スリーブについて説明する。洗濯機の内槽底６の中心には、貫通するよう設置される吐水接続口５０１が設けられており、導水スリーブ１１の第１端と吐水接続口５０１が然るべく挿接及び接続されている。これにより、内槽１から流出した洗浄水は、導水スリーブ１１に沿って洗濯機の排水管に向かって流動するよう案内される。導水スリーブ１１の第１端には、内槽底６に固定される接続構造が設けられている。更に、導水スリーブ１１は、洗濯機の駆動モータ１２のアウターロータ１３と噛合して固定される。これにより、駆動モータのアウターロータは、導水スリーブ１１を介して内槽１を回転させる。  
【００６２】
洗濯機の後側に導水スリーブを設置し、導水スリーブの中心貫通孔が内槽から流出した洗浄水を排出するための経路を構成することで、遠心力を利用して、内槽内の洗浄水を導水スリーブに沿って円滑に排出するとの目的が実現される。更に、導水スリーブは、内槽と駆動モータの間の接続軸を構成するため、駆動モータが導水スリーブを利用して動力を伝達し、内槽を回転駆動させるとの目的が実現される。  
【００６３】
図７に示すように、本実施例において、内槽底６の外側には、固定接続される支持部材２０が装着されている。支持部材２０は内槽底６の中心に対して対称に設けられる。また、支持部材２０の中心には、吐水接続口５０１を然るべく挿通するための貫通孔が設けられている。導水スリーブ１１の第１端は支持部材２０に固定接続されるとともに、吐水接続口５０１に然るべく挿接される。導水スリーブと支持部材を固定接続することで、導水スリーブを利用して駆動モータの駆動作用力を支持部材に直接伝達し、支持部材を通じて内槽を共に回転させる。  
【００６４】
本実施例において、支持部材２０の中心には、導水スリーブ１１の第１端と然るべく噛合して固定される挿接部が設けられている。また、吐水接続口５０１は挿接部の端部に同軸に設けられている。且つ、支持部材２０にヒンジ接続される導水スリーブ１１の第１端と吐水接続口５０１が然るべく挿接及び接続される。好ましくは、前記挿接部は、導水スリーブの第１端と然るべく挿接及び噛合するスプラインスロットとし、導水スリーブの第１端の外周にアウタースプラインが設けられている。アウタースプラインがスプラインスロットの内周に設けられたスプラインに然るべく噛合及び接続されることで、導水スリーブは支持部材を介して内槽を回転駆動させる。  
【００６５】
本実施例において、導水スリーブ１１は、内槽の軸線方向に延伸している。内槽１の後端には内槽支持部材４が設けられており、内槽支持部材４には内槽１と同軸に設けられる駆動モータ１２が装着されている。駆動モータ１２のアウターロータ１３の中心は、導水スリーブ１１の第２端の外周に固定接続される。  
【００６６】
図３に示すように、本実施例において、内槽支持部材４の中心には筒状構造の軸受ハウジング１５が設けられている。軸受ハウジング１５内には、内槽１と同軸に設置される少なくとも１つの軸受スリーブが設けられており、導水スリーブ１１の中央部が軸受スリーブ内に支持及び装着される。好ましくは、軸受ハウジング１５の前後両端には、軸受スリーブが１つずつ設けられている。より好ましくは、前軸受スリーブ１６の内径は後軸受スリーブ１７の内径よりも大きい。導水スリーブ１１には、前軸受スリーブ１６と後軸受スリーブ１７にそれぞれ対応して設置される異なる軸部が設けられている。これにより、前後の軸受スリーブがそれぞれ導水スリーブの異なる軸部を然るべく固定及び支持する。  
【００６７】
本実施例では、更に、導水スリーブ１１の外周に動的シールリング１８が覆設されている。動的シールリング１８は、軸受ハウジング１５と支持部材２０の間に設けられる。動的シールリング１８の外周は軸受ハウジング１５の前端に密封状に当接しているため、洗浄水の漏出が防止される。  
【００６８】
本実施例において、前記駆動モータ１２は支持部材２０の後側に設けられている。導水スリーブ１１の第２端は、駆動モータ１２のインナーステータ１４とアウターロータ１３に順に挿通される。アウターロータ１３の中心には、導水スリーブ１１における対応する挿通軸部に固定接続されるスプライン穴が設けられている。また、これと係合するアウタースプラインが導水スリーブ１１の対応する軸部の外周に設けられており、導水スリーブ１１とアウターロータ１３がスプラインの係合によって互いに固定接続される。  
【００６９】
図６に示すように、本実施例において、導水スリーブ１１の第２端はアウターロータ１３を貫通している。また、洗浄水を洗濯機から導出するために、貫通した第２端は吐水構造を介して洗濯機の排水管と連通している。好ましくは、吐水構造は密封された流水室１９を含んでいる。流水室１９は、内槽支持部材４に固定装着されている。流水室１９は、外側が吐水コネクタ２１と連通しており、内側が導水スリーブ１１の第２端と連通している。また、前記吐水コネクタ２１の端部は洗濯機の排水管と連通している。これにより、導水スリーブ１１から流水室１９に流入した洗浄水は、吐水コネクタ２１を経由したあと、排水管を通じて洗濯機から流出する。  
【００７０】
本実施例において、導水スリーブ１１には、第１端から第２端向かって、外周の直径が徐々に小さくなる複数の軸部が設けられている。これにより、導水スリーブ１１の組み付け及び装着が容易となる。導水スリーブは、小径端から順に駆動モータへ挿入するだけで組み付けを実現可能である。
【実施例３】
【００７１】
図１〜図９に示すように、本実施例では、洗濯機の吐水構造について説明する。洗濯機の内槽支持部材４の後側には、密封された流
水室１９が固定装着されている。流水室１９には内槽支持部材４に固定される吐水コネクタ２１が設けられており、内槽１と共に回転する導水スリーブ１１の端部が流水室１９内まで伸入している。これにより、内槽１から流出した洗浄水は、導水スリーブ１１に沿って排出される。  
【００７２】
洗濯機の後側に流水室を設けるとともに、洗浄水を外部に流出させるよう案内するための、内槽と共に回転する導水スリーブを流水室と動的にシール接続したあとに、洗濯機の排水管に然るべく直接挿接することで、導水スリーブを排水管に直接接続した場合に発生する回転が同期せず、接続不可能になるとの課題が回避される。これにより、導水スリーブから導出された洗浄水を円滑に洗濯機から排出するとの目的が実現される。  
【００７３】
図３及び図６に示すように、本実施例において、洗濯機の内槽支持部材４の後側には固定フレーム２２が固定装着されている。固定フレーム２２には吐水コネクタ２１が固定装着されており、固定フレーム２２には、吐水コネクタ２１と連通する密封された流水室１９が設けられている。内槽１と共に回転する導水スリーブ１１の端部は流水室１９内まで伸入しており、且つ、挿入接続箇所には動的シール処理が施されている。これにより、内槽１から導水スリーブ１１に沿って流出した洗浄水は、流水室１９に案内されたあと吐水コネクタ２１を経由して流出する。  
【００７４】
本実施例において、固定フレーム２２の中心には、内槽１と同軸に設置される貫通孔が設けられている。貫通孔には、内槽１と同軸に設置される筒状の装着カバー２３が装着されている。装着カバー２３は、前側が導水スリーブ１１の端部に然るべく密封状に挿接され、後側が吐水コネクタ２１に密封接続されている。これにより、装着カバー２３の中空部によって密閉された流水室１９が取り囲まれる。  
【００７５】
図６に示すように、本実施例において、装着カバー２３内には、前方から後方に向かって、導水スリーブ１１を位置決め及び支持するための軸受スリーブ２４と、導水スリーブ１１を密封処理するための動的シールスリーブ２５が順に装着されている。軸受スリーブ２４と動的シールスリーブ２５は、導水スリーブ１１の外周に然るべく覆設され、動的シールスリーブ２５の外周と装着カバー２３の内壁とが密封状に密接している。  
【００７６】
本実施例において、前記吐水コネクタ２１は、装着カバーの後側を覆うフランジ２６を含んでおり、フランジ２６が装着カバー２３の後側に密封接続される。フランジ２６の中心には、内槽１と同軸に設置される吐水口２９が設けられており、吐水口２９と流水室１９が然るべく連通している。好ましくは、吐水口２９は、フランジ２６から後方へ突出するよう延伸する筒状の開口である。より好ましくは、フランジ２６の前側には、装着カバー２３の内部に向かって突出する位置規制リブ２８が周設されている。位置規制リブ２８の端部は動的シールスリーブ２５に当接している。また、位置規制リブ２８の外径は、装着カバー２３の内径と等しい大きさに設けられており、位置規制リブ２８と装着カバー２３の内壁とが然るべく密接している。  
【００７７】
流水室の密封性を高めるために、フランジ２６と装着カバー２３との接触箇所に弾性ガスケットを設置することで、これらの組み付け接続箇所の密封性が向上する。  
【００７８】
本実施例では、装着フランジ２７の両側が、それぞれフランジ２６及び固定フレーム２２に然るべく密接しており、装着フランジ２７とフランジ２６及び固定フレーム２２がそれぞれボルトで固定接続されている。好ましくは、フランジ２６の外径は装着カバー２３の内径よりも大きく、装着フランジ２７の外径よりも小さい。本実施例では、装着フランジ２７、フランジ２６及び固定フレーム２２を、順に挿入される同一のボルトで固定接続してもよいし、装着フランジ２７とフランジ２６、装着フランジ２７と固定フレーム２０を、異なるボルトでそれぞれ固定接続してもよい。  
【００７９】
本実施例において、前記動的シールスリーブ２５は、横断面が「Ｃ」型をなすパッキンである。動的シールスリーブ２５の両端は、それぞれ吐水コネクタのフランジ２６と軸受スリーブ２４に位置規制されるよう当接している。好ましくは、「Ｃ」型のパッキンの開口側は軸受スリーブ２４側に面するよう設けられている。これにより、内側から外側への動的シールが可能な限り保証されるため、導水スリーブと流水室との接続箇所における密封性能が向上する。  
【００８０】
図６及び図７に示すように、本実施例において、前記固定フレーム２２は、垂直に延伸し、且つ内槽１の軸線に対し対称な帯状のプレート材である。固定フレーム２２の両端は、それぞれ内槽１方向に屈曲している。屈曲部はそれぞれ内槽支持部材４の後側に固定接続される。また、装着カバー２３が、固定フレーム２２の中心に設けられるとともに、内槽１の軸と同軸に設置される。  
【００８１】
本実施例において、内槽支持部材４の後側には、内槽１と同軸に設置される駆動モータ１２が固定装着されている。前記駆動モータ１２は、固定フレーム２２と内槽支持部材４の間に設けられており、且つ、固定フレーム２２及び内槽支持部材４との間にそれぞれ一定の隙間を隔てている。好ましくは、導水スリーブ１１は、駆動モータ１２を貫通して駆動モータ１２のアウターロータ１３に固定及び噛合される。導水スリーブ１１の外周には位置規制スリーブ３０が覆設されており、位置規制スリーブ３０は、アウターロータ１３と装着カバー２３の間に設けられている。位置規制スリーブ３０の外径は軸受スリーブ２４の直径よりも大きいため、装着カバー２３からの軸受スリーブ２４の抜け落ちが防止される。
【実施例４】
【００８２】
図１〜図９に示すように、本実施例では、上記のクリーニング不要洗濯機に応用される内槽について説明する。内槽１には、内槽の構成線に沿って延伸する複数のリフティングリブ２が設けられている。リフティングリブ２の内部は中空となっている。また、リフティングリブ２の撹水面には、リフティングリブ２の中空部と内槽１の内部とを連通させる複数の通水孔８が設けられている。且つ、リフティングリブ２の後端は内槽底６寄りに設置されるとともに、吐水構造が設けられている。これにより、内槽１内の洗浄水は、リフティングリブ２に妨げられて内槽底６の後側まで案内され、且つ、内槽底６に設けられた導水流路３を経由して内槽１から流出する。  
【００８３】
内槽の側壁に複数のリフティングリブを設置することで、内槽の高速回転時には、壁に密着して流動する洗浄水がリフティングリブの妨害作用を受けてリフティングリブの内部に流れ込む。そして、遠心力の作用によって、洗浄水はリフティングリブの内部空間に沿って内槽底方向へと流動する。これにより、洗浄水の乱流によって排水速度が低下するとの事態が回避される。  
【００８４】
図１及び図２に示すように、本実施例において、内槽底６には、外周から中心に向かって延伸する複数の導水流路３が設けられている。導水流路３の外周端はそれぞれリフティングリブ２に対応して設けられており、前記リフティングリブ２及び対応する導水流路３は、内槽１の径方向における同一断面に設けられている。これにより、リフティングリブ２によって内槽底６に案内された洗浄水は対応する導水流路３に直接流れ込むため、排水効率が向上する。  
【００８５】
各導水流路部分に対し、対応するリフティングリブを１つずつ設置することで、リフティングリブに妨げられて内槽底に案内された洗浄水は、対応する導水流路内に直接流れ込む。これにより、１対１で対向するリフティングリブと導水流路によって完全な排水経路が形成されるため、排水の流速と効率が向上する。  
【００８６】
図８に示すように、本実施例において、リフティングリブ２の後端に設けられる吐水構造は、リフティングリブ２の後端に設けられる通水孔８、及び／又は、リフティングリブ２の後端と洗濯機の内槽１の壁との接続箇所に設けられる切欠き９である。前記通水孔８及び／又は切欠き９は、リフティングリブ２の内部と内槽１とを連通させる。好ましくは、導水流路３の一端は、内槽１の側壁と一定の隙間を隔てて内槽底６の外周に設けられている。また、これに対応するリフティングリブ２の後端と洗濯機の内槽１の壁との接続箇所に切欠き９が設けられている。前記切欠き９は、隙間に近接して内槽の同一構成線に沿って設けられる。より好ましくは、リフティングリブ２の後端と内槽底６は一定の隙間を隔てており、内槽内の洗浄水が隙間から導水流路３に流れ込む。  
【００８７】
図９に示すように、本実施例において、リフティングリブ２の中空部には、内槽１の構成線に沿って延伸する邪魔板３１が設けられている。邪魔板３１は、リフティングリブ２の中空部を互いに独立した２つの部分に分割する。２つの部分は、それぞれ対応する側の撹水面に設けられた通水孔８を通じて内槽１と連通する。  
【００８８】
本実施例において、邪魔板３１はリフティングリブ２の中心線に沿って延伸している。また、邪魔板３１の両側における互いに独立した空間は、それぞれリフティングリブ２の後部に設けられた吐水構造と連通している。これにより、２つの独立した空間内の洗浄水を、いずれもリフティングリブ２の後端における吐水構造から対応する導水流路３へと排出することが可能である。好ましくは、リフティングリブ２の内部における邪魔板３１によって分割された２つの独立した空間は、それぞれリフティングリブ２の後端に設けられる一部の通水孔８と連通している。  
【００８９】
本実施例において設置されている邪魔板３１の左右両側面は、いずれも内槽底６から内槽１の槽口方向に向かって、リフティングリブ２の軸線から離間する側に徐々に傾斜する斜面をなしている。これにより、リフティングリブ２の内部の洗浄水は、邪魔板３１に沿ってリフティングリブ２の後端の中心に向かって集束的に流動するよう案内される。そして、洗浄水は、リフティングリブ２の後端における吐水構造から対応する導水流路３内へと直接流動する。  
【００９０】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて実施可能なわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【符号の説明】
【００９１】
１  内槽  ２  リフティングリブ  ３  導水流路  ４  内槽支持部材  ５  中央コネクタ  ６  内槽底  ７  撹水リブ  ８  通水孔  ９  切欠き  １０  通水室  １１  導水スリーブ  １２  駆動モータ  １３  アウターロータ  １４  インナーステータ  １５  軸受ハウジング  １６  前軸受スリーブ  １７  後軸受スリーブ  １８  動的シールリング  １９  流水室  ２０  支持部材  ２１  吐水コネクタ  ２２  固定フレーム  ２３  装着カバー  ２４  軸受スリーブ  ２５  動的シールスリーブ  ２６  フランジ  ２７  装着フランジ  ２８  位置規制リブ  ２９  吐水口  ３０  位置規制スリーブ  ３１  邪魔板  ５００  中央コネクタ本体  ５０１  吐水接続口
【図１】
2021528111.tif 000003
【図２】
2021528111.tif 000004
【図３】
2021528111.tif 000005
【図４】
2021528111.tif 000006
【図５】
2021528111.tif 000007
【図６】
2021528111.tif 000008
【図７】
2021528111.tif 000009
【図８】
2021528111.tif 000010
【図９】
2021528111.tif 000011
【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
内槽であって、内槽の構成線に沿って延伸する複数のリフティングリブが設けられた内槽において、
リフティングリブの内部は中空となっており、リフティングリブの撹水面には、リフティングリブの中空部と内槽の内部とを連通させる複数の通水孔が設けられており、且つ、リフティングリブの後端は内槽底寄りに設置されるとともに、吐水構造が設けられていることを特徴とする内槽。
【請求項２】
リフティングリブの後端に設けられる吐水構造は、リフティングリブの後端に設けられる通水孔、及び／又は、リフティングリブの後端と洗濯機の内槽壁との接続箇所に設けられる切欠きであり、前記通水孔及び／又は切欠きは、リフティングリブの内部と内槽とを連通させ、
導水流路の一端は、内槽の側壁と一定の隙間を隔てて内槽底の外周に設けられており、これに対応するリフティングリブの後端と洗濯機の内槽壁との接続箇所に切欠きが設けられており、前記切欠きは、隙間に近接して内槽の同一構成線に沿って設けられることを特徴とする請求項１に記載の内槽。
【請求項３】
リフティングリブの中空部には、内槽の構成線に沿って延伸する邪魔板が設けられており、邪魔板は、リフティングリブの中空部を互いに独立した２つの部分に分割し、２つの部分は、それぞれ対応する側の撹水面に設けられた通水孔を通じて内槽と連通することを特徴とする請求項１に記載の内槽。
【請求項４】
邪魔板はリフティングリブの中心線に沿って延伸しており、邪魔板の両側における互いに独立した空間は、２つの独立した空間内の洗浄水を、いずれもリフティングリブの後端における吐水構造から対応する導水流路へと排出可能となるよう、それぞれリフティングリブの後部に設けられた吐水構造と連通していることを特徴とする請求項３に記載の内槽。
【請求項５】
リフティングリブの内部の洗浄水を、邪魔板に沿ってリフティングリブの後端の中心に向かって集束的に流動させるよう案内し、洗浄水を対応する導水流路内へと直接流動させるよう、前記邪魔板の左右両側面は、いずれも内槽底から内槽の槽口方向に向かって、リフティングリブの軸線から離間する方向に徐々に傾斜する斜面をなしていることを特徴とする請求項３に記載の内槽。
【請求項６】
内槽であって、
内槽底には、外周から中心まで延伸する複数の導水流路が配置されており、内槽底の中心には、各導水流路の端部とそれぞれ連通する中央コネクタが設けられており、中央コネクタの後端には、内槽底を貫通する吐水接続口が設けられており、内槽内の洗浄水は、遠心力の作用を受けると、導水流路を経由して中央コネクタまで流動したあと、吐水接続口を通じて内槽から流出することを特徴とする請求項１に記載の内槽。
【請求項７】
前記中央コネクタは内槽底の中心に固定装着されており、前記中央コネクタは、円環状又は半円球状の本体を含んでおり、中央コネクタの本体の内部は中空となって通水室を構成しており、中央コネクタ本体の外周には、導水流路内の洗浄水を通水室内に案内するために、各導水流路に然るべく接続される給水口が設けられていることを特徴とする請求項６に記載の内槽。
【請求項８】
内槽は脱水孔を有さない密閉された内槽であり、内槽には吐水構造が設けられており、
中央コネクタの後端には、同軸に設置され、且つ後方へ延伸する吐水接続口が設けられており、吐水接続口は内槽底を貫通して通水室と内槽の外部とを連通させており、
吐水接続口の挿通端は、導水スリーブの端部に然るべく挿接され、導水スリーブの他端は、内槽から流出した洗浄水を洗濯機の外部に排出するために、洗濯機の吐水管と連通していることを特徴とする請求項７に記載の内槽。
【請求項９】
内槽であって、
洗濯機の内槽支持部材の後側に、密封された流水室が固定装着されており、流水室には内槽支持部材に固定される吐水コネクタが設けられており、内槽と共に回転する導水スリーブの端部が流水室内まで伸入しており、内槽から流出した洗浄水が導水スリーブに沿って排出されることを特徴とする請求項１に記載の内槽。
【請求項１０】
洗濯機の内槽支持部材の後側には固定フレームが固定装着されており、固定フレームには吐水コネクタが固定装着されており、固定フレームには、吐水コネクタと連通する密封された流水室が設けられており、内槽と共に回転する導水スリーブの端部が流水室内まで伸入しており、且つ、挿入接続箇所に動的シール処理が施されており、内槽から導水スリーブに沿って流出した洗浄水は、流水室に案内されたあと吐水コネクタを経由して流出することを特徴とする請求項９に記載の内槽。
【請求項１１】
固定フレームの中心には、内槽と同軸に設置される貫通孔が設けられており、貫通孔には、内槽と同軸に設置される筒状の装着カバーが装着されており、装着カバーの中空部によって密閉された流水室が取り囲まれるよう、装着カバーは、前側が導水スリーブの端部に然るべく密封状に挿接され、後側が吐水コネクタに密封接続されることを特徴とする請求項１０に記載の内槽。
【請求項１２】
装着カバー内には、前方から後方に向かって、導水スリーブを位置決め及び支持するための軸受スリーブと、導水スリーブを密封処理するための動的シールスリーブが順に装着されており、軸受スリーブと動的シールスリーブは、導水スリーブの外周に然るべく覆設され、動的シールスリーブの外周と装着カバーの内壁とが密封状に密接することを特徴とする請求項１１に記載の内槽。
【請求項１３】
前記吐水コネクタは、装着カバーの後側を覆うフランジを含んでおり、フランジが装着カバーの後側に密封接続され、フランジの中心には、内槽と同軸に設置される吐水口が設けられており、吐水口と流水室が然るべく連通していることを特徴とする請求項１１に記載の内槽。
【請求項１４】
前記動的シールスリーブは横断面が「Ｃ」型をなすパッキンであり、動的シールスリーブの両端は、それぞれ吐水コネクタのフランジと軸受スリーブに位置規制されるよう当接することを特徴とする請求項１３に記載の内槽。
【請求項１５】
前記固定フレームは、垂直に延伸し、且つ内槽の軸線に対し対称な帯状のプレート材であり、固定フレームの両端は、それぞれ内槽方向に屈曲しており、屈曲部はそれぞれ内槽支持部材の後側に固定接続され、装着カバーが、固定フレームの中心に設けられるとともに、内槽の軸と同軸に設置されることを特徴とする請求項１０〜１４のいずれか１項に記載の内槽。
【請求項１６】
内槽支持部材の後側には、内槽と同軸に設置される駆動モータが固定装着されており、前記駆動モータは、固定フレームと内槽支持部材の間に設けられており、且つ、固定フレーム及び内槽支持部材との間にそれぞれ一定の隙間を隔てていることを特徴とする請求項１５に記載の内槽。
【請求項１７】
洗濯機の内槽底の中心には、貫通するよう設置される吐水接続口が設けられており、導水スリーブの第１端と吐水接続口が然るべく挿接及び接続されており、内槽から流出した洗浄水は、導水スリーブに沿って洗濯機の排水管に向かって流動するよう案内され、導水スリーブの第１端には、内槽底に固定される接続構造が設けられており、更に、導水スリーブは、洗濯機の駆動モータのロータと噛合して固定され、駆動モータのロータは、導水スリーブを介して内槽を回転させることを特徴とする請求項９〜１６のいずれか１項に記載の内槽。
【請求項１８】
内槽底の外側には固定接続される支持部材が装着されており、支持部材は内槽底の中心に対して対称に設けられ、支持部材の中心には、吐水接続口を然るべく挿通するための貫通孔が設けられており、導水スリーブの第１端は支持部材に固定接続されるとともに、吐水接続口に然るべく挿接されることを特徴とする請求項１７に記載の内槽。
【請求項１９】
導水スリーブは、内槽の軸線方向に延伸しており、内槽の後端には内槽支持部材が設けられており、内槽支持部材には内槽と同軸に設けられる駆動モータが装着されており、駆動モータのロータの中心は、導水スリーブの第２端の外周に固定接続されることを特徴とする請求項１７又は１８に記載の内槽。
【請求項２０】
内槽支持部材の中心には筒状構造の軸受ハウジングが設けられており、軸受ハウジング内には、内槽と同軸に設置される少なくとも１つの軸受スリーブが設けられており、導水スリーブの中央部が軸受スリーブ内に支持及び装着され、
軸受ハウジングの前後両端には軸受スリーブが１つずつ設けられており、
前軸受スリーブの内径は後軸受スリーブの内径よりも大きく、導水スリーブには、前軸受スリーブと後軸受スリーブにそれぞれ対応して設置される異なる軸部が設けられており、前後の軸受スリーブがそれぞれ導水スリーブの異なる軸部を然るべく固定及び支持することを特徴とする請求項１９に記載の内槽。
【国際調査報告】
2021528111.tif 000012
2021528111.tif 000013
2021528111.tif 000014
2021528111.tif 000015
2021528111.tif 000016
2021528111.tif 000017